(57)【要約】【課題】  本発明は、製造時のクリープの問題を有しない閉鎖具の構造を提供する。【解決手段】  本発明は、特に、  ２つの基板のウェブ（１２，１３）と、  各々が、対応するウェブ（１２，１３）にそれぞれ連結された相補的な閉鎖手段（２，３）と、  を備えた閉鎖具に関し、  各ウェブ（１２，１３）は、２つの部材、すなわち、閉鎖手段（２，３）の１つを支える第１の部材（１４，１６）、および上記第１とは異なる第２の部材（１５，１７）から構成され、  これらの第１の部材（１４，１６）、および第２の部材（１５，１７）には、それらの下端および上端にそれぞれ沿って、クリッピング手段などの相補的協働手段（４０，４１，４０’，４１’）が設けられていることを特徴とする。【選択図】図１
2012086897.tif 000002
【特許請求の範囲】
【請求項１】
２つの基板のウェブ（１２，１３）と、
各々が、対応するウェブ（１２，１３）にそれぞれ連結された相補的な閉鎖手段（２，３）と、
を備え、
各ウェブ（１２，１３）は、２つの部材、すなわち、閉鎖手段（２，３）の１つを支える第１の部材（１４，１６）、および上記第１とは異なる第２の部材（１５，１７）から構成され、
これらの第１の部材（１４，１６）、および第２の部材（１５，１７）には、それらの下端および上端にそれぞれ沿って、クリッピング手段などの相互相補的協働手段（４０，４１，４０’，４１’）が設けられていることを特徴とする閉鎖具（１）。
【請求項２】
請求項１の装置であって、
上記ウェブ（１２，１３）の上記第２の部材（１５，１７）は、別体であることを特徴とする装置。
【請求項３】
請求項１の装置であって、
上記ウェブ（１２，１３）の上記第２の部材（１５，１７）は、それ自体に折り重ねられた１つの同じシート（５）から成ることを特徴とする装置。
【請求項４】
請求項１から請求項３のうち何れか１項の装置であって、
上記閉鎖手段（２，３）は、対応する第１の部材（１４，１６）と一体的に押し出し成形されていることを特徴とする装置。
【請求項５】
請求項１から請求項３のうち何れか１項の装置であって、
上記閉鎖手段（２，３）は、挿入された部材であることを特徴とする装置。
【請求項６】
請求項１から請求項５のうち何れか１項の装置であって、
上記閉鎖手段（２，３）は、相補的なプロファイルであることを特徴とする装置。
【請求項７】
請求項１から請求項６のうち何れか１項の装置であって、
上記相互相補的協働手段は、相補的なビード（４０）と溝（４１）とから構成されていることを特徴とする装置。
【請求項８】
請求項１から請求項７のうち何れか１項の袋であって、
上記第１の部材１４，１６、および第２の部材１５，１７は、プロファイルの相容れない異なるプラスチックから成ることを特徴とする袋。
【請求項９】
請求項１から請求項８のうち何れか１項に従った装置を用いて製造された袋。
【請求項１０】
請求項１から請求項６のうち何れか１項の装置を利用する請求項９の袋であって、
上記ウェブ（１２，１３）の上記第２の部材（１５，１７）は、それら自体が、この袋の嚢の境界を画することを特徴とする袋。
【請求項１１】
請求項１から請求項８のうち何れか１項の装置を利用する請求項９の袋であって、
上記第１の部材（１４，１６）、および／または第２の部材（１５，１７）に取り付けられ、袋の嚢の境界を画する少なくとも１つの追加のウェブ（６，７）を含むことを特徴とする袋。
【発明の詳細な説明】
【技術分野】
【０００１】
本発明は、相補的な閉鎖手段を有する閉鎖具の分野に関するものである。
【背景技術】
【０００２】
これらの手段は、ある場合には、それぞれ開放時、および閉鎖時に、スライドによって作動させられる。
【０００３】
限定されない一例として、そのような閉鎖具は、袋の構成部分である。
【０００４】
これらの袋は、２つの一般的に平行な、それらのメインウォールを形成するウェブ、そのウェブに組み込まれた相補的な閉鎖手段、および可能ならば開閉時に上記手段を作動させるためのスライドを含む。
【０００５】
これらの袋の製造時には、非常に異なる技術的および機械的特性を有する２つのゾーンが各ウェブに存在する。
【０００６】
第１は、プロファイル（profiles、部分）などの閉鎖手段を支えるものである。それは、一般にリブまたは他の突出部材を有している。
【０００７】
第２は、続いて閉鎖部の一部または袋のウォールの境界を画するウェブから構成される。大きなサイズの袋、例えば、かなりな量のアニマルフードを収容することが意図されたものが含まれる場合、この第２のゾーンは大きな範囲を有する。
【発明の概要】
【発明が解決しようとする課題】
【０００８】
これらのウェブの製造時には、特にプロファイルによって、この第２のゾーンにおいてクリープの問題（creep problems）が見られ、それは、特に、「テクニカルゾーン」と呼ばれる第１のゾーンの変形についてもたらされることにより、最終製品の品質において有害な影響を有し得る。
【０００９】
さらに、閉鎖具および／または袋の各ゾーンに特有の技術的制約と結びついた製造上の理由のために、これらの袋は、相容れないか、またはコプロファイルにおいてのみ困難性をもって相容れる（incompatible or compatible in co-profile only with difficulty）、異なるプラスチックから成ることが求められ、または好まれる。
【課題を解決するための手段】
【００１０】
本発明は、これらの欠点を有しない閉鎖具の構造を提供して、この困難性を改善することを第１の目的を有している。
【００１１】
本発明は、そこで、
２つの基板のウェブと、
各々が、対応するウェブにそれぞれ接続された相補的な閉鎖手段とを含む閉鎖具に関し、
各ウェブは、２つの部材、すなわち、閉鎖手段の１つを支える第１の部材、および上記第１とは異なる第２の部材から成り、
これらの第１および第２の部材は、クリッピング手段などの相互相補的協働手段を備えることを特徴とする。
【００１２】
有利には、上記ウェブの第２の部材は、別体である。
【００１３】
しかし、他の可能な実施例では、上記ウェブの第２の部材は、それ自体に折り重ねられた１つの同じシートから成る。
【００１４】
有利な実施例では、上記閉鎖手段は、対応する第１の部材と一体的に押し出し成形されている。
【００１５】
しかし、上記閉鎖手段は挿入部材（inserts）から成り得る。
【００１６】
好ましくは、上記閉鎖手段は、相補的なプロファイルである。
【００１７】
有利には、上記相互相補的協働手段は、相補的なビードと溝とから成っている。
【００１８】
最終的に、１つの変形例では、上記第１および第２の部材は、プロファイルの相容れない（incompatible in profile）異なるプラスチックから成る。
【００１９】
本発明は、また、上記実施例の１つに合致した装置を使用して製造された袋に関する。
【００２０】
この袋の有利で限定されない特徴によれば、
上記ウェブの上記第２の部材は、それ自体が、これらの袋の嚢（receptacle）の境界を画し、
それは、上記第１の部材、および／または第２の部材に取り付けられ、袋の嚢の境界を画する少なくとも１つの追加のウェブを含む。
【００２１】
本発明の他の特徴および有利な点は、以下の好ましい実施例の詳細な記述を読むことによって表れる。
【００２２】
この記述は、添付図の参照とともに与えられる。
【図面の簡単な説明】
【００２３】
【図１】本発明の閉鎖具の模式的断面図である。
【図２】その装置の実現における変形例の上記に類似した断面図である。
【図３】図１の閉鎖具を包含する袋の非常に模式的な断面図である。
【図４】図１の閉鎖具を包含する袋の非常に模式的な断面図である。
【図５】図５（ａ）は、本発明の変形例に合致する閉鎖具の初期的に別個の要素の模式図であり、図５（ｂ）に模式的断面図に示されるる開封インジケータを含む閉鎖具を構成するために共に組み合わされるように設計されている。
【図６】閉鎖具を包含する小袋（sachet）の他の実施例の模式図である。
【図７】閉鎖具を包含する小袋の他の実施例の模式図である。
【図８】閉鎖具を包含する小袋の他の実施例の模式図である。
【発明を実施するための形態】
【００２４】
この記述は、引き続いて袋を製造するために用いられる閉鎖具に適用される。それは、しかし、単純な例であり、閉鎖具は他の使用、例えば、ポスターとして用いられるように設計されたシートの２つの端部を接続することに適している。
【００２５】
図１に示される閉鎖具１は、それ自体の概略は一般に知られた構造を有している。しかし、本発明によるその実施例は、革新的である。
【００２６】
それは、上部１０と、下部１１とを有している。
【００２７】
それは、１２と１３の符号が付されたプラスチック製の２つのウェブから構成されている。
【００２８】
上部１０において、２つのウェブ１２，１３には、相補的な閉鎖プロファイル２，３が設けられている。
【００２９】
これらのプロファイル２，３は、多くの実施例の主題になり得る。本発明は図１に描かれた正確な実施例には限定されない。
【００３０】
ここに例示された具体例では、プロファイル２，３は、当業者に広く知られているように、それぞれオスとメスのタイプである。しかし、本発明は、他のタイプのプロファイル、特に相補的なフックを備えたものを適用可能である。それは、また、ベルクロ（商標）ストリップの名称で広く知られた、ループとフックとを有するものなど、他の閉鎖手段も適用可能である。
【００３１】
図１の実現形態では、プロファイル２，３は、ウェブ１２，１３と一体的に押し出し成形されている。
【００３２】
しかし、図示しない１つの実現の変形例では、これらの相補的なプロファイルは、例えば熱溶着、または接着剤による接着により、ウェブ１２，１３に貼り付けられたサポートストリップによって実現されてもよい。
【００３３】
この装置は、以下に述べる特別な特徴を有している。
【００３４】
実際には、ウェブ１２，１３は、それぞれ２つの部材、すなわち、プロファイルの１つを支える第１の部材、および上記第１の部材とは異なる第２の部材から成っている。これらの第１および第２の部材には、クリッピング手段などの相互的、かつ相補的な協働手段４が設けられている。
【００３５】
より詳しくは、ウェブ１２は、プロファイル２を支える第１の部材１４（図１を考慮する場合には上部と呼ばれる。）を含み、ウェブ１３は、プロファイル３を支える第１の部材１６を含む。
【００３６】
さらに、ウェブ１２は、第２の部材１５を含み、ウェブ１３は、類似した第２の部材１７を有する。
【００３７】
第１の部材１４，１６の下端部には、ここでは、ビード４０が設けられ、第２の部材１５，１７の上端部は、相補的な溝４１の形状に形成されている。
【００３８】
ビード４０は、例えば、直径が、それを支えるウェブ１２、第１の部材１４，１６の厚さよりも大きい円柱状の断面の連続的な畝状に形成され、溝４１は、端部が狭まった溝として形成されている。
【００３９】
したがって、ビード４０を溝４１に挟むことによって、または平行移動による結合によって（by coupling by translation）、別個の部材が図１に示されるように共に連結される。
【００４０】
この構造によって、装置は、例えばプロファイルにより、引き続き組み合わされる別個のサブアセンブリに製造され得る。このようにして、既に知られている装置の直面するクリープの問題は回避される。
【００４１】
図２に示される閉鎖具は、第１の部材１４，１６の下端部に溝４０’が設けられ、第２の部材１５，１７の上端部にビード４１’が設けられているという事実によってだけ、以前のものと、区別される。
【００４２】
そのような閉鎖具は、制約なしに、袋を製造するために用いられ得る。そのために、閉鎖具は、袋のボディを構成する１つまたは複数のシートに取り付けられることができ、または、さらに、袋のボディを構成するために、閉鎖プロファイル２，３と反対側のウェブ１２、第２の部材１５，１７の端部に連結することもできる。
【００４３】
次に、そのような袋および閉鎖具の変形例の実施例を述べるにあたって図３から図８が参照される。
【００４４】
例えば、図３を参照すれば、図１のものと類似した閉鎖具は、それ自体に折り重ねられたプラスチック製のシート５に取り付けられる。
【００４５】
より詳しくは、このシート５の２つの自由端５０が、接着剤または溶着などの当業者に知られた何らかの接続手段Ｆを用いて、それぞれウェブ１２，１３の第２の部材１５，１７の自由端に取り付けられる。
【００４６】
そこで、一般に知られたタイプの袋が構成され、その開閉が、閉鎖手段２，３の協働または協働の解除によって成し遂げられる。
【００４７】
図４の袋は、直上で図３を参照して述べられたものと概して類似した構造を有している。しかし、それは、シート５が、ウェブ１２，１３の第２の部材１５，１７の下端部だけでなく、それらの上部、実質的に閉鎖手段２，３の近傍にも取り付けられているという事実によって区別される。
【００４８】
このようにして、シート５の閉鎖具へのより良好な保持および接着が達成され、相補手段４を保護し、または到達し難いようにして、それらを故意にまたは誤って分離することを不可能にする。
【００４９】
図５（ａ）の閉鎖具の実施例では、図１で述べられたものに類似する閉鎖具が再度考慮される。
【００５０】
しかし、ここでは、シート６が用いられ、ウェブ１２，１３の第２の部材１５，１７が、ここではシート６自体から構成されるように、その端部が溝４１の形に形成されている。
【００５１】
そこで、図５（ｂ）に示されるような閉鎖具を構成するためには、シート６をそれ自体にＵ字形に折り重ねて、シート６の溝４１を、閉鎖具１のビード４０に連結すれば足りる。
【００５２】
ここで、図５（ｂ）に図示された閉鎖具は、ウェブ１２，１３を連結し、そこで、開封インジケータを構成するウェブ部を有するという利点を有している。
【００５３】
実際、袋を構成するために、この閉鎖具が１つまたは複数のシートに一旦取り付けられると、袋の内容物へのアクセスを最初に得るためには、プロファイル２，３の分離後に、このウェブ部を破ることも必要になる。上記ウェブ部は、また、閉鎖プロファイル２，３と平行になって、袋のためのシールエレメントを構成する。
【００５４】
変形例としては、もし、シート６がそのような構成に十分なサイズであれば、この装置だけを用いて袋を製造することが可能である。
【００５５】
シートに適用された閉鎖具による袋の製造は、図６から図８に解りやすく図示される。
【００５６】
例えば、図６を参照すると、袋の上部には、限られた長さのシート６が取り付けられた閉鎖具１が設けられている。
【００５７】
このシート６には、やはりそれ自体に折り重ねられた、しかしより大きなサイズの他のシート７が適用され、その反対側の自由端７０が、手段Ｆ（例えば接着剤接着または溶着）によって、シート６にその両側で取り付けられている
袋の構造は、したがって、図６が考慮されれば、トップからボトムまで、相補的な閉鎖手段２，３、およびシート６の折り畳みから成り、袋の嚢（receptacle）（シート７自体によって画される）の内部にアクセスするためには破られなければならない追加の閉鎖を含むことが観察される（contemplated）。
【００５８】
図７および図８は、閉鎖具１の上部で（図７）、および、また、閉鎖具１の上部と、シート６と向かい合う表面上とで（図８）、シート７が取り付けられている点を除き類似した構造を説明している。
【００５９】
閉鎖具の２つの部材の製造は、したがって、初期の装置が直面した問題の解決を可能にする。
【００６０】
さらに、コプロファイル（coprofile）によって製造に適合しない２つのプラスチックを用いて装置を製造することが意図される場合、本発明に従って、装置の「テクニカル」部分１０の製造のために第１の材料、フィルムのウェブ１１のために他の材料を用いることができる。
【符号の説明】
【００６１】
１      閉鎖具
２，３  閉鎖プロファイル
４      協働手段
５      シート
６      シート
７      シート
１０      上部
１１      下部
１２      ウェブ
１３      ウェブ
１４      第１の部材
１５      第２の部材
１６      第１の部材
１７      第２の部材
４０      ビード
４０’    溝
４１      溝
４１’    ビード
５０      自由端
７０      自由端
【図１】
2012086897.tif 000003
【図２】
2012086897.tif 000004
【図３】
2012086897.tif 000005
【図４】
2012086897.tif 000006
【図５】
2012086897.tif 000007
【図６】
2012086897.tif 000008
【図７】
2012086897.tif 000009
【図８】
2012086897.tif 000010